(57)【要約】【課題】ノズル部の先端部を切断して開口する注ぎ口が、たとえ高粘度の液状内容物であっても、絞り出しによる注ぎが容易な注ぎ口付詰替袋の提供にある。【解決手段】略方形状でなる表裏の側面シート１０、１１の両側縁シール部１２と上縁シール部１６でシールされ、該上縁シール部１６の端部で、該上縁シール部１６より上部にのび、かつ該端部と直交する側縁シール部１２方向に、先端に切断指示線２０ａを有する突出するノズル部５０を有する注ぎ口付詰替袋１において、前記ノズル部５０が、前記上縁シール部１６より上部にのびる裏の側面シート１１が内側に折り曲げられた上縁１１ａと、前記上縁シール部１６より上部にわずかにのびる表の側面シート１０の上縁１０ａがそれぞれの内面でシールされてノズル部シール片１６ａを形成して密封した注ぎ口付詰替袋１とするものである。【選択図】図１
2005271964.tif 000002
【特許請求の範囲】
【請求項１】
少なくとも最内層がシーラント層でなり、略方形状の複合フィルムでなる２枚の側面シートの両側縁と上縁のシーラント層面でシールされ、該上縁の一方の端部で、該上縁より上部にのび、かつ該端部と直交する側縁方向に、先端に切断指示線を有し、該切断指示線を切断して内容物を注ぎ出すための注ぎ口とする突出したノズル部を有し、前記複合フィルムでなる側面シートの下縁のシーラント層面で該側面シートと略同一の構成でなる底面シートがシールされている注ぎ口付詰替袋において、前記ノズル部は、前記上縁より上部にのびる一方の側面シートが内側に折り曲げられた上縁と、前記上縁より上部にわずかにのびるもう一方の側面シートの上縁がそれぞれの内面でシールされてなることを特徴とする注ぎ口付詰替袋。
【請求項２】
上記ノズル部の下部を形成する側縁に、内側に湾曲する切り込みでなる括れ部を設けたことを特徴とする請求項１記載の注ぎ口付詰替袋。
【請求項３】
上記切断指示線の切断は、上記ノズル部の下部で、内側に湾曲する括れ部に刻設された切断誘導のための切り欠きでなされることを特徴とする請求項１または２記載の注ぎ口付詰替袋。
【発明の詳細な説明】
【技術分野】
【０００１】
本発明は、液体洗剤やシャンプー等を収納する包装袋に関するものであり、特に内容物を他の容器に詰め替えるための注ぎ口が付いた詰替用の包装袋で、その注ぎ口の形状に関する。
【背景技術】
【０００２】
近年、廃棄物の増加に係わる環境問題から、省資源や廃棄物の減量化を目的として、プラスチックフィルムをベースにした２層以上の積層包装材料の周縁を熱接着し、液体洗剤やシャンプー等トイレタリー品を収納する袋とし、使用に際し上端縁コーナーに突出した注ぎ口を鋏等で切断してその内容物を、例えばポンプ方式ディスペンサー付のプラスチックボトルに容易に注ぎ詰め替えが可能な注ぎ口付詰替袋（ほとんどが自立するタイプのスタンディングパウチとなっている）が数多く使用されるようになっている。
【０００３】
このような注ぎ口付詰替袋の事例として、例えば図６（ａ）の斜視図に示すように、縦長の略長方形の側面部（２ａ）と、この側面部（２ａ）と対称に設けられた側面部（２ｂ）と、底面部（３）とを有して有底袋状に密封形成されており、この２つの側面部（２ａ）と（２ｂ）とが側縁部（４ａ）、（４ａ）と上縁部（４ｂ）とで接合されているパウチ容器（２）において、先端部（５ａ）を切断することで内容物を排出する出口（６）が形成される先細りで山形状のノズル部（５）を、前記２つの側面部（２ａ）および（２ｂ）が接合された上縁部（４ｂ）の端部に突設するようにしたものであり、そして図６（ｂ）の斜視図に示すように、ノズル部（５）の先端（５ａ）を切断することにより、内容物を排出する出口（６）が形成されるようになっているものがある（例えば、特許文献１参照。）。
【０００４】
以下に、上記先行技術文献を示す。
【特許文献１】特開平１１−４３１６０号公報
【発明の開示】
【発明が解決しようとする課題】
【０００５】
しかし、上記の従来技術の注ぎ口付詰替袋において、そのノズル部の先端部を切断することで開口される注ぎ口では、注ぎ口の開きが悪く、内容物の詰め替えに際し、特にシャンプーなどのように高粘度の内容物の場合、内容物が出難く、絞り出しが困難なものであった。また、そのノズル部の先端部は、袋の底辺と直交する側面部の側縁辺と、先細りで山形状の一方の稜線との交点でなる形状のものであるので、詰め替え先のボトル等容器の口にセッティングし難いという問題点があった。
【０００６】
本発明は、かかる従来技術の問題点を解決するものであり、その課題とするところは、シャンプー等の液状内容物を収納する詰替用の注ぎ口付袋において、ノズル部の先端部を切断して開口する注ぎ口が、たとえ高粘度の液状内容物であっても、絞り出しによる注ぎが容易で、かつ内容物の詰め替えに際し、詰め替え先の容器の口にセッティングし易い注ぎ口付詰替袋を提供することにある。
【課題を解決するための手段】
【０００７】
本発明に於いて上記課題を達成するために、まず請求項１の発明では、少なくとも最内層がシーラント層でなり、略方形状の複合フィルムでなる２枚の側面シートの両側縁と上縁のシーラント層面でシールされ、該上縁の一方の端部で、該上縁より上部にのび、かつ
該端部と直交する側縁方向に、先端に切断指示線を有し、該切断指示線を切断して内容物を注ぎ出すための注ぎ口とする突出したノズル部を有し、前記複合フィルムでなる側面シートの下縁のシーラント層面で該側面シートと略同一の構成でなる底面シートがシールされている注ぎ口付詰替袋において、前記ノズル部は、前記上縁より上部にのびる一方の側面シートが内側に折り曲げられた上縁と、前記上縁より上部にわずかにのびるもう一方の側面シートの上縁がそれぞれの内面でシールされてなることを特徴とする注ぎ口付詰替袋としたものである。
【０００８】
また、請求項２の発明では、上記ノズル部の下部を形成する側縁に、内側に湾曲する切り込みでなる括れ部を設けたことを特徴とする請求項１記載の注ぎ口付詰替袋としたものである。
【０００９】
さらにまた、請求項３の発明では、上記切断指示線の切断は、上記ノズル部の下部で、内側に湾曲する括れ部に刻設された切断誘導のための切り欠きでなされることを特徴とする請求項１または２記載の注ぎ口付詰替袋としたものである。
【発明の効果】
【００１０】
本発明は以上の構成であるから、下記に示す如き効果がある。
【００１１】
即ち、上記請求項１に係る発明によれば、少なくとも最内層がシーラント層でなり、略方形状の複合フィルムでなる２枚の側面シートの両側縁と上縁のシーラント層面でシールされ、該上縁の一方の端部で、該上縁より上部にのび、かつ該端部と直交する側縁方向に、先端に切断指示線を有し、該切断指示線を切断して内容物を注ぎ出すための注ぎ口とする突出したノズル部を有し、前記複合フィルムでなる側面シートの下縁のシーラント層面で該側面シートと略同一の構成でなる底面シートがシールされている注ぎ口付詰替袋において、前記ノズル部は、前記上縁より上部にのびる一方の側面シートが内側に折り曲げられた上縁と、前記上縁より上部にわずかにのびるもう一方の側面シートの上縁がそれぞれの内面でシールされているので、ノズル部の先端を切断指示線に従って切断して開口すると、その開口された注ぎ口が、前記上縁より上部にのびる一方の側面シートが内側に折り曲げられてループ状になり、よってこの注ぎ口が大きく開くので、たとえ高粘度の内容物であっても、絞り出しによる注ぎ（排出）が容易になる注ぎ口付詰替袋を提供できる効果がある。
【００１２】
また、上記請求項２に係る発明によれば、上記ノズル部の下部を形成する側縁に、内側に湾曲する切り込みでなる括れ部を設けたことによって、ノズル先端の切断指示線を切断して開口した後、内容物の詰め替えに際し、詰め替え先の容器の口に、この湾曲する切り込みでなる括れ部を引っかけるようにしてセッティングできるので、より注ぎ易い注ぎ口付詰替袋を提供することができる。
【００１３】
さらにまた、上記請求項３に係る発明によれば、上記切断指示線の切断を、上記ノズル部の下部で、内側に湾曲する括れ部に刻設された切断誘導のための切り欠きで行うようにすることによって、この切り欠きを起点として湾曲する括れ部から上方に切り上げるように切断することができ、よってより開口し易い注ぎ口付詰替袋とすることができる。
【００１４】
従って本発明は、特にシャンプー等高粘度の液状内容物を収納し、この内容物を他の容器に詰め替えるための注ぎ口付詰替袋として、優れた実用上の効果を発揮する。
【発明を実施するための最良の形態】
【００１５】
以下本発明を実施するための最良の形態を図面を用いて詳細に説明する。
【００１６】
図１は、本発明の注ぎ口付詰替袋の一形態を示す正面図およびその断面図であり、図２は、本発明の注ぎ口付詰替袋のノズル部を切断した一形態を示す正面図である。また、図３は、本発明の注ぎ口付詰替袋の注ぎ口の一形態を示す断面図であり、図４は、本発明の注ぎ口付詰替袋を用いたときの一形態を示す斜視図である。
【００１７】
上記本発明の注ぎ口付詰替袋は、図１（ａ）に示すように、例えば略長方形状の複合フィルムでなる表裏２枚の側面シート（１０、１１）が左右両側縁でシールされた側縁シール部（１２）と上縁でシールされた上縁シール部（１６）を有し、この上縁シール部（１６）の左側のコーナー端部には、この上縁シール部（１６）より上部にのびる、かつこの端部と直交する側縁シール部（１２）の方向に、突出したノズル部（５０）を有し、このノズル部（５０）は、先端に切断指示線（２０ａ）を有し、この切断指示線（２０ａ）を切断して内容物を注ぎ出すための注ぎ口とするとするもので、前記複合フィルムでなる側面シート（１０）の下縁のシーラント層面でこの側面シート（１０）と略同一の構成でなる底面シート（１８）がシールされた下縁シール部（１４）を有する注ぎ口付詰替袋（１）であって、図２に示すように、前記ノズル部（５０）の先端を、切断指示線に従って切断することにより、内容物を注ぎ出す注ぎ口（２０）が形成されるようになっているものである。
【００１８】
そこで、上記請求項１に係る発明は、図１（ａ）の正面図およびこの図１（ａ）のＢ−Ｂ面を表す図１（ｂ）の断面図に示すように、上記ノズル部（５０）は、上縁シール部（１６）より上部にのびる裏の側面シート（１１）が内側に折り曲げられ、その折り曲げられた左右縁の内面でシールされてノズル部側縁シール部（１２ｂ）を形成し、さらにその上縁（１１ａ）と、前記の上縁シール部（１６）より上部にわずかにのびる表の側面シート（１０）の上縁（１０ａ）とをそれぞれの内面（シーラント層）でシールしてノズル部シール片（１６ａ）として密封されていることを特徴とする注ぎ口付詰替袋（１）である。
【００１９】
上記図１（ａ）に示す注ぎ口付詰替袋（１）のノズル部（５０）の先端を、切断指示線（２０ａ）に従って切断すると、例えば図２および図３（ａ）に示すように、開口された注ぎ口（２０）が、上部にのびる裏の側面シート（１１）が内側に折り曲げられてループ状になり、よってこの注ぎ口（２０）が大きく開くようにすることができる。
【００２０】
また、図２に示すように、ノズル部（５０）を構成する裏の側面シート（１１）の上縁と、表の側面シート（１０）の上縁と内面（シーラント層）でシールしたノズル部シール片（１６ａ）をノズル部（５０）の中央近傍（点線で示す）に設けた場合の開口された注ぎ口（２０）は、例えば図３（ｂ）に示すように、上部にのび内側に折り曲げられた裏の側面シート（１１）と上部にわずかにのびる表の側面シート（１０）でループ状を形成し、このループ状で注ぎ口（２０）が大きく開くようにすることもできる。
【００２１】
以上のように、左側に突出するノズル部（５０）は、例えば上縁シール部（１６）より上部にのびる裏の側面シート（１１）が内側に折り曲げられた上縁（１１ａ）と、上縁シール部（１６）よりわずかに上部にのびる表の側縁シール部（１０）の上縁（１０ａ）とが内面でシールされているので、そのノズル部（５０）の先端を切断指示線（２０ａ）に従って切断して開口すると、その開口された注ぎ口（２０）が、裏の側面シート（１１）が内側に折り曲げられてループ状を形成し、よってこの注ぎ口（２０）が大きく開くようになるので、たとえ高粘度の内容物であっても、絞り出しによる注ぎ（排出）が容易になる注ぎ口付詰替袋（１）とすることができる。
【００２２】
また、上記請求項２に係る発明は、例えば、図１（ａ）および図２に示すように、ノズル部（５０）の下部を形成する側縁シール部（１２ａ）が、内側に湾曲する切り込みでな
る括れ部（１３）を設けたことを特徴とする注ぎ口付詰替袋（１）である。
【００２３】
このように、突出するノズル部（５０）の下部に湾曲する側縁シール部（１２ａ）に括れ部（１３）を設けたことによって、例えば図４の斜視図に示すように、注ぎ口付詰替袋（１）のノズル部（５０）を切断して開口し、他のプラスチックボトル（３０）に内容物を詰め替える際に、このプラスチックボトル（３０）のスパウト（３２）のフランジ部に、ノズル部（５０）の下部の湾曲する括れ部（１３）を引っかけるようにセッティングすることができ、よって内容物を零す危惧がなくより安全に注ぎ易くする注ぎ口付詰替袋（１）とすることができる。
【００２４】
さらにまた、上記請求項３に係る発明は、例えば図１（ａ）に示すように、ノズル部（５０）の先端に印刷やレーザーによるハーフカット等により施された切断指示線（２０ａ）の切断を、この切断指示線（２０ａ）の端部で、かつノズル部（５０）の下部で、内側に湾曲する括れ部（１３）を構成する側縁シール部（１２ａ）に刻設された切断誘導のためのノッチ（Ｎ）によって成されるようにしたものである。
【００２５】
このように、ノズル部（５０）の下部に切断誘導のためのノッチ（Ｎ）を設けることによって、このノッチ（Ｎ）を起点として上方に切り上げるようにして切断指示線（２０ａ）で切断することができ、より開口を容易にする注ぎ口付詰替袋（１）とすることができる。
【００２６】
上記切断誘導のためのノッチ（Ｎ）として、Ｖ型、Ｉ型あるいはＵ型のいずれであってもよく、単なる切り込みであっても構わない。
【００２７】
以下に本発明の注出口付包装容器（１）を構成する材料や製造法等について具体的に説明する。
【００２８】
まず、上記本発明の注ぎ口付詰替袋（１）を構成する切断指示線（２０ａ）としては、例えば印刷で線を施し、あるいはノズル部（５０）を構成する非シール部（２３）の側面シート（１０）表面に炭酸ガスレーザーやロータリー刃によるハーフカットを施し、この切断指示線（２０ａ）の端部で、湾曲する括れ部（１３）に刻設されているノッチ（Ｖ）による引き裂きのガイドとするこどできる。
【００２９】
また、本発明の注ぎ口付詰替袋（１）を構成する表裏の側面シート（１０、１１）や底面シート（１８）の複合フィルムの材料構成は、シーラント層のみでなる単層プラスチックフィルムとすることもでき、例えば結晶性ポリプロピレン、結晶性プロピレン−エチレン共重合体、低密度ポリエチレン、中密度ポリエチレン、高密度ポリエチレン、エチレン−酢酸ビニル共重合体、イオン架橋オレフィン共重合体などのポリオレフィン類が挙げられる。
【００３０】
また、図５の側断面図に示すように、例えば複合フィルム（４０）を構成する表面層（４２）としては、例えば厚さ１２μｍ程度のポリエチレンテレフタレートフィルム、ナイロンフィルムなどが用いられ、その裏面に切断支持線（２０ａ）等を含めた印刷が施される。
【００３１】
また、上記複合フィルム（４０）を構成する最内層のシーラント層（４１）としては、厚さ５０μｍ程度の上記低密度ポリエチレン等単層プラスチックフィルムが使用され、ドライラミネーション用接着剤を介して表面層（４２）のフィルムとラミネートするか、前記低密度ポリエチレン樹脂等の溶融押し出しラミネーション法でラミネートして得られるものである。
【００３２】
さらに充填される内容物によっては３層、４層とすることができ、例えば、図４に示すように、注ぎ口付詰替袋（１）に強度を付与する場合は、表面層（４２）とシーラント層（４１）の間に厚さ１２μｍ程度の延伸ナイロン（ＯＮ）を中間層（４３）としてラミネートで施したり、ガスバリア性が要求される注ぎ口付詰替袋（１）には、例えば表面層（４２）とシーラント層（４１）の間に、アルミニウム箔（７μｍ）／ポリエチレンテレフタレートフィルム（１２μｍ）やセラミック蒸着フィルム（例えばＳｉＯ２  蒸着層／ポリエチレンテレフタレートフィルム（１２μｍ））を中間層（４３）としてラミネートで施した複合フィルム（４０）とすることもできる。
【００３３】
以上のような本発明の注ぎ口付詰替袋は、液体洗剤やシャンプー、リンス等、特に粘度の高い液体内容物が収納され、この内容物を他の容器（プラスチックボトル等）への詰め替えに好適な自立するスタンディングパウチとして、優れた実用上の効果を発揮するものである。
【図面の簡単な説明】
【００３４】
【図１】本発明の注ぎ口付詰替袋の一実施の形態を示す説明図で、（ａ）は、その正面図であり、（ｂ）は、（ａ）のＢ−Ｂ断面図である。
【図２】本発明の注ぎ口付詰替袋の一実施の形態を示すもので、ノズル部を切断したときの正面図である。
【図３】本発明の注ぎ口付詰替袋を構成するノズル部を切断面で表した説明図であり、（ａ）は、その一事例の断面図であり、（ｂ）は、他の一事例の断面図である。
【図４】本発明の注ぎ口付詰替袋を用いて他の容器に詰め替える際の一実施の形態を説明する斜視図である。
【図５】本発明の注ぎ口付詰替袋を構成する複合フィルムの一事例を側断面で表した説明図である。
【図６】従来の注ぎ口付のパウチ容器の一事例を示す斜視図であり、（ａ）は、その斜視図であり、（ｂ）は、ノズル部を切断して開口した斜視図である。
【符号の説明】
【００３５】
１‥‥注ぎ口付詰替袋
２‥‥注ぎ口付のパウチ容器
２ａ，２ｂ‥‥側面部
３‥‥底面部
４ａ‥‥側縁部
４ｂ‥‥上縁部
５‥‥パウチ容器のノズル部
５ａ‥‥ノズル部の先端部
６‥‥出口
１０‥‥表の側面シート
１０ａ‥‥表の側面シートの上縁
１１‥‥裏の側面シート
１１ａ‥‥裏の側面シートの上縁
１２‥‥側縁シール部
１２ａ‥‥括れ部の側縁シール部
１２ｂ‥‥ノズル部側縁シール部
１３‥‥括れ部
１４‥‥底縁シール部
１６‥‥上縁シール部
１６ａ‥‥ノズル部シール片
２０‥‥注ぎ口
２０ａ‥‥切断指示線
３０‥‥プラスチックボトル
３２‥‥スパウト
４０‥‥複合フィルム
４１‥‥シーラント層
４２‥‥表面層
４３‥‥中間層
５０‥‥ノズル部
Ｎ‥‥ノッチ
【図１】
2005271964.tif 000003
【図２】
2005271964.tif 000004
【図３】
2005271964.tif 000005
【図４】
2005271964.tif 000006
【図５】
2005271964.tif 000007
【図６】
2005271964.tif 000008